(57)【特許請求の範囲】
【請求項１】
座の後ろにおいて上向きに延びる背支柱と、前記背支柱に前から取り付く背もたれとを備えており、前記背もたれは、当該背もたれに設けた後ろ向きのフロント嵌合部と前記背支柱に設けた前向きのリア嵌合部とを嵌合させてファスナで締結することによって左右動不能及び後傾動不能に保持されている構成であって、
前記リア嵌合部は、前記背支柱から前向きに突出した形態であって下端に下向き突出部を設けている一方、
前記フロント嵌合部は、前記リア嵌合部を覆うように後ろ向きに開口しており、前記フロント嵌合部の下端部に、前記リア嵌合部の下向き突出部が上から嵌まるポケット部を形成している、
椅子。
【請求項２】
前記背支柱は左右に２本配置されていて、左右の背支柱の上端部は左右横長のジョイントで繋がっており、
前記左右背支柱の上端部に前記リア嵌合部が形成されている一方、前記背もたれの後面部に前記フロント嵌合部を設けている、
請求項１に記載した椅子。
【請求項３】
座の後ろにおいて上向きに延びる背支柱に背もたれを取り付けており、前記背もたれは、前記背支柱への取り付けのみで安定状態に保持されている構成であって、
前記背支柱に形成した前向きのリア嵌合部と前記背もたれに設けたフロント嵌合部とが前後方向から嵌まり合って互いにファスナで締結されており、
前記背支柱のリア嵌合部と背もたれのフロント嵌合部の嵌合部とは、それらに挿通された左右横長のピンによって前後動不能に保持されている、
椅子。
【請求項４】
前記リア嵌合部は、前記背支柱から前向きに突出した形態であって下端に下向き突出部を設けている一方、
前記フロント嵌合部は、前記リア嵌合部を覆うように後ろ向きに開口しており、前記フロント嵌合部の下端部に、前記リア嵌合部の下向き突出部が上から嵌まるポケット部を形成している、
請求項３に記載した椅子。
【請求項５】
前記背もたれは、前記嵌合部が形成された後ろ側部材と、前記後ろ側部材に手前から重なった前側部材とを有している一方、
前記ファスナはビスとナットで構成されていて、前記後ろ側部材の前面にナットが配置されて、前記ビスは前記背支柱及び後ろ側部材に後ろから挿通されてナットに螺合しており、前記ナットが背もたれの前側部材で覆われている、
請求項１〜４のうちのいずれかに記載した椅子。
【請求項６】
前記背もたれの後ろ側部材は、上下長手の左右サイドフレームを有する前後開口の枠状に形成されていて、前記サイドフレームのうち着座した人の腰部に位置する高さを中心にした部位が、前記嵌合部によって背支柱に取り付けられており、
前記リア嵌合部とフロント嵌合部とがカバーにて後ろ及び内側から覆われている一方、
前記背もたれにおける後ろ側部材のサイドフレームに、前記着座した人の腰部が当たる部位を後ろから支えるランバーサポート体が手前から嵌め込み装着されており、前記ランバーサポート体の設けた後ろ向きの摘み部により、前記カバーが左右内向き移動不能に保持されている、
請求項５に記載した椅子。
【発明の詳細な説明】
【技術分野】
【０００１】
本願発明は椅子に関するもので、背もたれの構造に特徴を有している。なお、椅子にはベンチも含まれる。
【背景技術】
【０００２】
椅子において、後傾動自在な背支柱に背もたれを取り付けることが行われており、その例が特許文献１に開示されている。すなわち、この特許文献１には、背もたれの下寄り部位を左右一対の背支柱にビスで締結することが開示されている。ビスは後ろから背支柱に挿通されている。そこで、左右横長のカバーを左右背支柱に装架して、カバーでビスの頭を隠している。
【先行技術文献】
【特許文献】
【０００３】
【特許文献１】特開２０１５−１３１１３号公報
【発明の概要】
【発明が解決しようとする課題】
【０００４】
特許文献１では、背もたれは背支柱のみで安定状態に保持されている。従って、全体的にすっきりとした外観を呈している。しかし、本願発明者たちが検討したところ、改良の余地が見られた。例えば、特許文献１では、背もたれは左右の背支柱にそれぞれ上下２本のビスで固定されているが、組み付け作業を能率向上の点からは、固定強度は損なうことなく１本のビスで締結できるようにすると好ましい。
【０００５】
本願発明はこのような現状に鑑み成されたものであり、特許文献１のような背支柱に背もたれを取り付けたタイプにおいて、改良された構造を提供せんとするものである。
【課題を解決するための手段】
【０００６】
本願発明は、各請求項で特定した発明を含んでいる。このうち請求項１の発明は、    「座の後ろにおいて上向きに延びる背支柱と、前記背支柱に前から取り付く背もたれとを備えており、前記背もたれは、当該背もたれに設けた後ろ向きのフロント嵌合部と前記背支柱に設けた前向きのリア嵌合部とを嵌合させてファスナで締結することによって左右動不能及び後傾動不能に保持されている」
という構成において、
「前記リア嵌合部は、前記背支柱から前向きに突出した形態であって下端に下向き突出部を設けている一方、
前記フロント嵌合部は、前記リア嵌合部を覆うように後ろ向きに開口しており、前記フロント嵌合部の下端部に、前記リア嵌合部の下向き突出部が上から嵌まるポケット部を形成している」
という特徴を備えている。
【０００７】
請求項２の発明は、請求項１において、
「前記背支柱は左右に２本配置されていて、左右の背支柱の上端部は左右横長のジョイントで繋がっており、
前記左右背支柱の上端部に前記リア嵌合部が形成されている一方、前記背もたれの後面部に前記フロント嵌合部を設けている」
という構成になっている。
【０００８】
請求項３の発明は、
「座の後ろにおいて上向きに延びる背支柱に背もたれを取り付けており、前記背もたれは、前記背支柱への取り付けのみで安定状態に保持されている」
という構成において、
「前記背支柱に形成した前向きのリア嵌合部と前記背もたれに設けたフロント嵌合部とが前後方向から嵌まり合って互いにファスナで締結されており、
前記背支柱のリア嵌合部と背もたれのフロント嵌合部の嵌合部とは、それらに挿通された左右横長のピンによって前後動不能に保持されている」
という特徴を備えている。
請求項４の発明は、請求項３において、
「前記リア嵌合部は、前記背支柱から前向きに突出した形態であって下端に下向き突出部を設けている一方、
前記フロント嵌合部は、前記リア嵌合部を覆うように後ろ向きに開口しており、前記フロント嵌合部の下端部に、前記リア嵌合部の下向き突出部が上から嵌まるポケット部を形成している」
という構成になっている。
【０００９】
請求項５の発明は、請求項１〜４のうちのいずれかにおいて、
「前記背もたれは、前記嵌合部が形成された後ろ側部材と、前記後ろ側部材に手前から重なった前側部材とを有している一方、前記ファスナはビスとナットで構成されていて、前記後ろ側部材の前面にナットが配置されて、ビスは前記背支柱及び後ろ側部材に後ろから挿通されてナットに螺合しており、前記ナットが背もたれの前側部材で覆われている」
という構成になっている。
【００１０】
請求項５の発明は、請求項４において、まず、前記背もたれの後ろ側部材は、上下長手の左右サイドフレームを有する前後開口の枠状に形成されていて、前記サイドフレームのうち着座した人の腰部に位置する高さを中心にした部位が、前記嵌合部によって背支柱に取り付けられており、前記リア嵌合部とフロント嵌合部とがカバーにて後ろ及び内側から覆われている。
【００１１】
更に、前記背もたれにおける後ろ側部材のサイドフレームに、前記着座した人の腰部が当たる部位を後ろから支えるランバーサポート体が手前から嵌め込み装着されており、前記ランバーサポート体の設けた後ろ向きの摘み部により、前記カバーが左右内向き移動不能に保持されている。
【発明の効果】
【００１２】
本願発明では、背もたれは、嵌合部によって後傾不能に保持されるため、例えば、１本のビスのみ締結であっても、高い固定強度を得ることが可能になる。また、背支柱の嵌合部と背もたれの嵌合部とが嵌まり合うことにより、背もたれがずり落ちないように背支柱に保持できるため、背もたれの位置決めも容易になる。これらの相乗作用により、背もたれの組み付け作業を能率良く行うことができる。
【００１３】
請求項２の構成では、左右の背支柱とジョイントとが互いに補強し合うため、背支柱の支持強度が格段に高くなる。特に、平面視でのねじれに対する剛性が向上する。このため、背もたれの支持強度を向上できる。
【００１４】
また、背支柱のリア嵌合部はジョイントの上下に突出しているため、ジョイント上下幅はできるだけ小さくしつつ、嵌合部の上下長さを長くすることができる。これによっても、背もたれの倒れに対する抵抗を増大させて、背もたれの支持強度（固定強度）を向上できる。
【００１５】
また、ロッキング時に背もたれの上部に使用者の体圧が掛かると、背もたれは、リア嵌合部の上端を支点にして後傾しようとするが、請求項１，４では、リア嵌合部の下向き突出部がフロント嵌合部のポケット部に嵌まることによって、背もたれが背支柱に対して後傾不能に保持されているため、テコの原理と逆の作用により、リア嵌合部の下向き突出部とポケット部とに掛かる負荷を抑制できる。このため、リア嵌合部の下向き突出部とポケット部とを過剰に頑丈な構造にしなくても（従って、嵌合部をできるだけコンパクト化しつつ）、背もたれが背支柱に対して倒れるをことを阻止できる。
【００１６】
請求項３のように、背支柱のリア嵌合部と背もたれのフロント嵌合部とをピンによって連結すると、両嵌合部の嵌まり合いが外れてしまって（破断してしまって）背もたれが背支柱に対して後傾してしまう事故を、より確実に防止できる。従って、極めて高い安全性を確保できる。
【００１７】
部材同士を締結するファスナは様々な種類があるが、ビスは最も一般的で信頼性も高い。そして、請求項４のように、背支柱と背もたれとの嵌合部をビスとナットとで共締めすると、タップ穴を空ける必要はないため、それだけ加工の手間を抑制できる。また、樹脂や軽金属の場合は、ビスを強くねじ込むと雌ねじが潰れて締結不能になってしまうことがあるが、請求項５では雌ねじは不要であるため、背支柱や背もたれの後ろ側部材が樹脂製又は軽金属製であっても、締結不能になるような事態は生じない。
【００１８】
しかも、ナットは背もたれを構成する前側部材で覆われるため、専用のカバーを設けなくとも、ナットが人の目に触れて美観を損なうような問題はない。
【００１９】
請求項６の発明では、着座した人の腰部をランバーサポート体で後ろから支えることができるため、使用者は、身体を直接させた姿勢を安定的に保持することができる。このため、身体への負担を軽減できる。そして、請求項６では、背支柱と背もたれとを固定するためのビスの頭を隠すカバーが、ランバーサポート体によって外れ不能に保持されているため、それだけカバーの構造を簡単化できる。
【図面の簡単な説明】
【００２０】
【図１】実施形態の椅子の外観図であり、（Ａ）は前から見た斜視図、（Ｂ）（Ｃ）は後ろから見た斜視図、（Ｄ）は右側面図である。
【図２】（Ａ）はベースと傾動フレームとの分離斜視図、（Ｂ）はベースを後ろから見た斜視図である。
【図３】（Ａ）は主要部材の分離斜視図、（Ｂ）はメッシュ材を省略した状態での正面図、（Ｃ）はメッシュ材を省略した状態での斜視図である。
【図４】（Ａ）は背部を後ろから見た一部分離斜視図、（Ｂ）背部を後ろから見た部分的な斜視図、（Ｃ）は背枠体とランバーサポート体と連結部カバーとの分離斜視図である。
【図５】（Ａ）は背支柱と背枠体との分離斜視図、（Ｂ）は背支柱の部分斜視図、（Ｃ）は背枠体の部分斜視図である。
【図６】（Ａ）は背支柱と背枠体との分離斜視図、（Ｂ）は背枠体の部分斜視図である。
【図７】連結部の平断面図である。
【図８】（Ａ）（Ｂ）は背枠体の斜視図、（Ｃ）（Ｄ）はメッシュ材保持体の斜視図である。
【図９】（Ａ）は背もたれの上端部の縦断側面図、（Ｂ）は背もたれの側部の平断面図、（Ｃ）は背もたれの下部の縦断側面図である。
【図１０】（Ａ）は背枠体とランバーサポート体と連結部カバーとの分離斜視図、（Ｂ）はランバーサポート体と連結部カバーとを組み合わせた状態での後方斜視図である。
【図１１】（Ａ）はランバーサポート体と連結部カバーとを組み合わせた状態での斜視図、（Ｂ）はランバーサポート体と連結部カバーとを背枠体に組み合わせた状態での斜視図、（Ｃ）はランバーサポート体と連結部カバーとを背枠体との分離斜視図である。
【図１２】ランバーサポート体の装着部の平断面図である。
【発明を実施するための形態】
【００２１】
次に、本願発明の実施形態を図面に基づいて説明する。本実施形態では、方向を特定するため、前後・左右の文言を使用するが、これは、椅子に普通に腰掛けた人の向きを基準にしている。正面視は、着座した人と対向した方向から見た状態である。内向き・外向ききの文言も使用するが、内向きは、左右方向のうち、背もたれ３の縦長中心線の方を向いた方向であり、外向きは逆方向である。
【００２２】
(1).椅子の概略
まず、図１〜３を参照して椅子の概略を説明する。本実施形態の椅子は、事務用等に多用されている回転椅子であり、主要要素として、脚装置１、座２、背もたれ３を備えている。脚装置１は、中央部に位置した脚支柱（ガスシリンダ）４と放射状に延びる枝杆と有しており、各枝杆の先端にはキャスタを設けている。
【００２３】
図１（Ｃ）のとおり、脚支柱４の上端にはベース５が嵌着されている。図２に示すように、ベース５には、左右横長の支軸６を介して回動部材７が取り付けられており、回動部材７に、傾動フレーム８が固定されている。回動部材７は、図示しないばねに抗して後傾動する。なお、座２は、ベース５と回動部材７とに連結された中間部材で支持されている。
【００２４】
図１（Ｄ）及び図２のとおり、傾動フレーム８は、基部９と左右の背支柱１０とを有して側面視でく字形に曲がった形態を成しており、左右の背支柱１０に背もたれ３が取り付けられている。傾動フレーム８の基部９は、左右のメンバーを、下ジョイント１１と中間ジョイント１２とで一体に連結した構造になっている（シェル状の構造体に穴を空けた構造と見ることも可能である。）。
【００２５】
下ジョイント１１は、回動部材７に設けた後ろ向き張り出し板１４に上から重なっており、下ジョイント１１には押さえ板１５が上から重なっている。そして、後ろ向き張り出し板１４と下ジョイント１１とに下方から挿通したビス１６を押さえ板１５にねじ込むことにより、下ジョイント１１が後ろ向き張り出し板１４に固定されている。
【００２６】
傾動フレーム８を構成する左右背支柱１０の上端は、左右横長の上ジョイント１８で一体に連結されている。上ジョイント１８が請求項に記載したジョイントに該当する。背支柱１０及び上ジョイント１８は概ね板状の形態であり、左右背支柱１０と上ジョイント１８と中間ジョイント１２とにより、角筒に近い形態が構成されている。このため、薄肉であっても、後ろ向きの外力や横向きの外力、或いは平面視でねじるような外力に対して、高い抵抗を発揮する。すなわち、薄肉であっても高い剛性を備えている。なお、傾動フレーム８は、樹脂の成形品又はアルミダイキャスト品である。
【００２７】
背もたれ３は、強度メンバーとしての背枠体１９を備えている。背枠体１９は樹脂の成形品であり（ダイキャスト品でもよい）、上下長手の左右サイドフレーム２０と、これらの上端に一体に繋がったアッパーフレーム２１と、サイドフレーム２０の下端に一体に繋がったロアフレーム２２とで概ね四角形に形成されている。そして、左右のサイドフレーム２０が背支柱１０に固定されている。なお、背枠体１９は背フレーム又はアウター枠と呼ぶことも可能である。
【００２８】
本実施形態の背もたれ３は、着座者の身体をメッシュ材１７で支えるタイプであり、メッシュ材１７は、背枠体１９に手前から重なるメッシュ材保持枠（インナー枠）２３に張られていて、メッシュ材保持枠２３が背枠体１９に取り付けられている。メッシュ材１７の縁部は、メッシュ材保持枠２３に縫着やタッカー止め等の手段で固定されている（テープ状の縁部材を使用して取り付けることも可能である。）。
【００２９】
メッシュ材保持枠２３は背枠体１９と相似形に形成されており、上下長手のサイドメンバー２４と左右長手のアッパーメンバー２５及びロアメンバー２６で構成されている。メッシュ材保持枠２３も樹脂の成形品である。請求項との関係では、背枠体１９は後ろ側部材に該当し、メッシュ材保持枠２３は前側部材に該当する。
【００３０】
背もたれ３には、メッシュ材１７を介して着座者の腰部を後ろから支える左右一対のランバーサポート体２７を設けている。ランバーサポート体２７は、背枠体１９のサイドフレーム２０に設けた内向きの後ろ向き係合枠部３８（詳細は後述する）に、高さ調節可能に装着されている。
【００３１】
図１（Ｄ）から理解できるように、背支柱１０の上端部は、概ね着座者の腰部の高さと同じ程度の高さになっており、背もたれ３は、着座者の腰部の高さ位置が最も前になるように側面視で前向き凸状に曲がっている。そして、背支柱１０と背枠体１９との連結部は、内側（左右サイドフレーム２０の間から）と後ろから、連結部カバー２８で覆われている。
【００３２】
(2).背枠体と背支柱との連結構造
次に、従前の図に加えて図５〜７も参照して、背枠体１９と背支柱１０との連結構造を説明する。例えば図５（Ａ）（Ｂ）に示すように、背支柱１０の上端部には、リア嵌合部として、前向き係合突起３１を設けている。前向き係合突起３１の概ね下半部は、左右方向の外向きに切除されており、従って、前向き係合突起３１の下半部は、上半部に比べて左右幅が小さくなっている。
【００３３】
そして、前向き係合突起３１に、上ジョイント１８から上向きに突出した上向き突出部３１ａと、上ジョイント１８から下きに突出した下向き突出部３１ｂとを設けている。上下の突出部３１ａ，３１ｂは、側面視で爪状の形態になっている。請求項との関係では、前向き係合突起３１はリア嵌合部に該当する。
【００３４】
図５（Ａ）に明示するように、下向き突出部３１ｂのうち前向き係合突起３１の幅狭部の左右方向の外側部位には、背支柱１０の前面よりも深く入り込んだリア係合溝３４を形成している。リア係合溝３４は下方にも開口している。前向き係合突起３１の上向き突出部３１ａには、ビス（ボルト）３５が後ろから貫通するビス挿通穴３６を空けている。図７から理解できるように、前向き係合突起３１における上向き突出部３１ａの後面には、ビス３５の頭を納める座繰り穴３７を形成している。
【００３５】
他方、背枠体１９のサイドフレーム２０に、フロント嵌合部として、背支柱１０の前向き係合突起３１を囲うようにしてこれに嵌まる後ろ向き係合枠部３８を形成している。図９（Ｂ）から理解できるように、サイドフレーム２０は後ろ向き凹状でやや反った平断面形状であり、そこで、図５（Ａ）（Ｃ）のとおり、後ろ向き係合枠部３８は、サイドフレーム２０の後面に、上下リブ３９，４０とこれらに連続した縦長のサイドリブ４１とを後ろ向き突設することによって形成されている。
【００３６】
後ろ向き係合枠部３８と前向き係合突起３１とが前後から嵌まることにより、背枠体１９は、上下方向及び左右方向とのいずれの方向にもずれ不能に保持される。例えば図４（Ｃ）から理解できるように、後ろ向き係合枠部３８は、背枠体１９の内側面から若干の寸法だけ左右内向きにはみ出している。
【００３７】
例えば図５（Ａ）から理解できるように、後ろ向き係合枠部３８の内部には、前向き係合突起３１に形成したリア係合溝３４に入り込むフロント係合突起４２が、後ろ向きに突設されている。フロント係合突起４２の上面は、後ろに向けて高さが低くなる傾斜面４２ａになっており、これに対応して、前向き係合突起３１におけるリア係合溝３４の上面も、後ろに向けて高さが低くなる傾斜面３４ａになっている。従って、リア係合溝３４とフロント係合突起４２とは、側面視で、上面が後ろ下向きに傾斜した略台形状になっている。
【００３８】
後ろ向き係合枠部３８の下端部には、前向き係合突起３１の下向き突出部３１ｂに下から嵌入する上向き開口のポケット部４３を形成している。ポケット部４３は、後ろ向き係合枠部３８の下リブ４０の一部を凹ませることで形成されている。下リブ４０の下方には、背面視四角形の補助凹部４４が後ろ向きに開口している。
【００３９】
背枠体１９の後ろ向き係合枠部３８は、背支柱１０の前向き係合突起３１に手前から嵌め込まれるが、単に後ろ向きに平行移動させただけでは、下向き突出部３１ｂがポケット部４３の前面に当たってしまう（つかえてしまう。）。従って、背枠体１９を、その上端が手前にずれるように基準状態よりも傾けた姿勢にして、先に下向き突出部３１ｂをポケット部４３に差し込み、次いで、下向き突出部３１ｂを支点にした状態で背枠体１９を後ろに倒して所定の姿勢する、という手順により、上向き突出部３１ａが前向き係合突起３１に嵌め込まれる。
【００４０】
そして、例えば図５（Ｂ）から理解できるように、下向き突出部３１ｂは、側面視で下窄まりの形状になっている。このため、先にポケット部４３を下向き突出部３１ｂに嵌め込むことが、容易になっている。また、フロント係合突起４２の上面とリア係合溝３４の上面とはいずれも傾斜面４２ａ，３４ａになっているため、フロント係合突起４２とリア係合溝３４との嵌まり合いもスムースにガイドされる。
【００４１】
例えば図６に示すように、下向き突出部３１ｂの上向き突出部３１ａと背枠体１９の後ろ向き係合枠部３８とは、既出のビス３５と、これが螺合するナット４５とで共締めされる。従って、ナット４５は、背枠体１９におけるサイドフレーム２０の前面に重ねて配置されている。
【００４２】
本実施形態では、ナット４５は、円筒状で一端にフランジを４６を設けたタイプが使用されており、フランジを４６には、爪４６ａを切り起こし形成している。ナット４５の筒部をサイドフレーム２０の取り付け穴４８に嵌めてから、フランジ４６をハンマーで叩いて爪４６ａをサイドフレーム２０の受け座に食い込ませることにより、ナット４５は回転不能に保持される。爪付きのナット４５を使用せずに、板ナット又は六角ナットを使用してもよい。この場合は、ナットが回転不能に嵌まる袋状のナット保持穴を設けておくのが好ましい。なお、図６に明示するように、サイドフレーム２０の内周部には前向きのリブ５１が形成されている。
【００４３】
図５に示すように、前向き係合突起３１の下部と、後ろ向き係合枠部３８のサイドリブ４１及びフロント係合突起４２とは、左右横長のピン５０で連結されている。図５（Ａ）の矢印で示すうに、ピン５０は、サイドリブ４１、前向き係合突起３１、フロント係合突起４２という方向に挿入されており、ピン５０の先端は、背支柱１０の端部で停止している。
【００４４】
(3).連結部カバー２８
例えば図４から理解できるように、前向き係合突起３１の上下突出部３１ａ，３１ｂは後ろに露出しており、かつ、後ろ向き係合枠部３８は内向き（背もたれ３の縦長中心の方向）に露出している。そこで、これらを樹脂製の連結部カバー２８で覆っている。従って、連結部カバー２８は、後面板２８ａと側面板２８ｂを有する略Ｌ字状の断面形状であり（図７も参照）、上端と下端とに若干の蓋部２８ｃを設けている。
【００４５】
前向き係合突起３１は背支柱１０から前向きに突出しているので、後面板２８ａは、上ジョイント１８の上下幅の分だけ切り欠かれている。また、連結部カバー２８の側面板２８ｂは後ろ向き係合枠部３８のサイドリブ４１に重なっているので、ピン５０は、連結部カバー２８によって抜け不能に保持されている。従って、ピン５０の抜け止めのための専用部材は必要ない。
【００４６】
図４（Ａ）（Ｃ）に矢印で示すように、連結部カバー２８は、左右サイドフレーム２０の間から横向きに移動させることにより、背支柱１０と背枠体１９との連結部に嵌め込みセットされる。セットされると、後面板２８ａが背支柱１０に嵌まるため、落下不能に保持される。また、図４（Ｂ）に示すように、連結部カバー２８の側面板２８ｂにはランバーサポート体２７の摘み２７ｂが内側から重なっている。このため、連結部カバー２８は、ビスや係合爪等の手段を講じることなく、横向き移動不能に保持されている。ランバーサポート体２７の構造は後述する。
【００４７】
(4).連結構造のまとめ
以上の構成において、背枠体１９は、前向き係合突起３１と後ろ向き係合枠部３８との嵌合により、上下方向と左右方向との両方向にずれ不能に保持されている。かつ、下向き突出部３１ｂがポケット部４３に嵌まっていることにより、背枠体１９は背支柱１０に対して後傾不能に保持されていく。このため、１本だけのビス３５の締結によっても、背枠体１９を安定した状態に保持できる。
【００４８】
ロッキングに際しては、背枠体１９は、背支柱１０に対しては、上向き突出部３１ａの個所を支点にして後傾しようとする傾向を呈するが、背支柱１０と背枠体１９との連結部の下端部において、下向き突出部３１ｂとポケット部４３とが嵌合しているため、背枠体１９に作用したモーメントを的確に阻止して、高い締結強度を保持できる。
【００４９】
また、単なる前向き係合突起３１と後ろ向き係合枠部３８との嵌まり合いではなく、前向き係合突起３１のリア係合溝３４と後ろ向き係合枠部３８のフロント係合突起４２とも嵌まり合っており、背支柱１０と背枠体１９との両方に凹凸を形成して互いに嵌め合わせた状態になっているため、背枠体１９の位置決めと後ろ向き倒れ阻止機能とが一層向上している。
【００５０】
本実施形態では、後ろ向き係合枠部３８は上ジョイント１８よりも上下に張り出していて上下長さが長くなっているため、下向き突出部３１ｂとポケット部４３とに対する負荷が軽減されていて、締結強度の確保が確実ならしめられている。
【００５１】
また、本実施形態では、前向き係合突起３１と後ろ向き係合枠部３８とがピン５０で連結されていることによっても、背枠体１９が背支柱１０に対して後傾することが防止されているため、例えば、下向き突出部３１ｂ又はポケット部４３が破断して、背枠体１９が背支柱１０に対して後傾してしまうといった事故を皆無にできる。従って、極めて高い安全対策が講じられている。
【００５２】
また、連結部は連結部カバー２８で覆われているため美観の悪化を防止できるが、連結部カバー２８を利用してピン５０の抜け止めを行っているため、それだけ構造の複雑化を防止している。かつ、連結部カバー２８は、椅子の要素としてのランバーサポート体２７が連結部カバー２８のはずれ防止機能を果たしているため、それだけ構造を簡素化してコスト抑制に貢献できる。
【００５３】
本実施形態では、背支柱１０に前向き係合突起３１を設けて背枠体１９に後ろ向き係合枠部３８を設けたが、雌雄の関係を逆にすることも可能である。また、背支柱１０と背枠体１９とに、雌雄の嵌合部の上下に複数個所設けることも可能である。
【００５４】
(5).メッシュ材保持枠と背枠体との連結構造
次に、メッシュ材保持枠２３と背枠体１９との連結構造を、図８，９を参照して説明する。メッシュ材保持枠２３と背枠体１９との連結手段は、左右側部と上部と下部とにそれぞれ形成している。すなわち、サイドメンバー２４とサイドフレーム２０との連結、アッパーメンバー２５とアッパーフレーム２１との連結、ロアメンバー２６とロアフレーム２２との連結がそれぞれ行われている。また、ビスによる連結も行っている。以下、順次説明する。
【００５５】
まず、サイドメンバー２４とサイドフレーム２０との連結手段としては、図８に示すように、サイドフレーム２０の上部に、正面視コ字形の位置決め突起５３を上下に離反して一対設けて、上下の位置決め突起５３の間の部位に、外向き鉤状のリア係合爪５４を前向きに突設している。
【００５６】
他方、メッシュ材保持枠２３のサイドメンバー２４には、サイドフレーム２０の位置決め突起５３に嵌まる背面視略角形の位置決め穴５５と、サイドフレーム２０のリア係合爪５４に上から噛み合う下向きのフロント係合爪５６を後ろ向きに突設している。位置決め穴５５は位置決め突起５３よりも上下長さが長くなっている。従って、位置決め穴５５を位置決め突起５３に嵌めた状態でサイドメンバー２４を下にずらことにより、フロント係合爪５６がリア係合爪５４に上から噛み合うようになっている。
【００５７】
位置決め穴５５と位置決め突起５３とによって、サイドメンバー２４はサイドフレーム２０に対して左右ずれ不能に保持されて、フロント係合爪５６とリア係合爪５４との噛み合い（係合）により、サイドメンバー２４はサイドフレーム２０に対して前向き離反不能に保持されている。図９（Ｂ）では、位置決め穴５５と位置決め突起５３とが嵌合している個所の平断面を表示している。
【００５８】
アッパーメンバー２５とアッパーフレーム２１との連結手段としては、図８に部分的に表示するように、アッパーメンバー２５に、複数の下向き突起５６′を左右方向に適宜間隔で設けて、アッパーフレーム２１には、下向き突起５６が嵌まるアッパー係合穴５７を空けている。従って、アッパーメンバー２５は、アッパーフレーム２１に対して前後左右のいずれの方向にもずれ不能に保持されている。図９（Ａ）は、下向き突起５６′とアッパー係合穴５７とが嵌まった個所の断面を表示している。
【００５９】
ロアメンバー２６とロアフレーム２２との連結手段としては、図８（Ｃ）及び図９（Ｃ）に示すように、ロアメンバー２６の上面に、前向き鉤状のストッパー爪５８を上向ききに突設している一方、ロアフレーム２２の下面には、ストッパー爪５８が前向き移動不能に係合（当接）するストッパー段部５９を形成している。
【００６０】
ストッパー爪５８は撓み変形するように薄肉になっている。そして、メッシュ材保持枠２３を、ロアメンバー２６をロアフレーム２２の手前に少し離した姿勢で、アッパーメンバー２５の下向き突起５６′をアッパーフレーム２１のアッパー係合穴５７に嵌め入れ、次いで、ロアメンバー２６をロアフレーム２２に押し付けると、ストッパー爪５８がいったん弾性変形してから戻って、ストッパー爪５８がストッパー段部５９に後ろから係合する。これにより、メッシュ材保持枠２３は、ロアメンバー２６の個所においても、背枠体１９から前向き離反不能に保持される。
【００６１】
図６（Ａ）において、背支柱１０と背枠体１９とを連結するためのビス３５の下に別のビス６０を表示しているが、このビス６０により、サイドメンバー２４とサイドフレーム２０とが連結されている。従って、ビス６０は、サイドフレーム２０を貫通してサイドメンバー２４にねじ込まれている。ビス６０は、ナット４５の下方においてサイドフレーム２０を貫通している。
【００６２】
(6).ランバーサポート装置
次に、ランバーサポート装置を、主として図１０〜１２を参照して説明する。図１０に明示するように、ランバーサポート体２７は、メッシュ材１７に後ろから当たる支持部２７ａと、支持部２７ａから後ろ向きに突出した摘み２７ｂとを有している。支持部２７ａはサイドフレーム２０前面に重なっており、摘み２７ｂは、サイドフレーム２０の内側の個所において後ろ向きに突出している。
【００６３】
そして、背枠体１９におけるサイドフレーム２０のうち後ろ向き係合枠部３８を設けた個所に、前向きに開口して上下長手のガイド溝穴６１を形成している一方、支持部２７ａには、ガイド溝穴６１に嵌まるスライダー６２を後ろ向きに突設している。スライダー６２は、背面視において摘み２７ｂの方向に開口したコ字形になっている。
【００６４】
更に、スライダー６２は上下３つ分断されていて、上下中間部は舌片６２ａになっており、この舌片６２ａの外面に、半球状のストッパー突起６３を設けている。他方、サイドフレーム２０におけるガイド溝穴６１の内側面には、ストッパー突起６３が係脱するストッパー溝６４を上下多段に多数形成している。従って、舌片６２ａが弾性変形して、ストッパー突起６３が任意のストッパー溝６４に嵌合することにより、ランバーサポート体２７を任意の高さに保持できる。
【００６５】
ランバーサポート体２７の支持部２７ａは、正面視では概ね四角形であり、各コーナー部を丸く面取されている（正確な形状は図３（Ｂ）参照）。また、平面視と側面視では前向き凸状に緩く湾曲している。このため、メッシュ材１７は支持部２７ａの表面に滑らかに当たり、メッシュ材１７の特定個所に応力が集中するようなことはない。なお、ランバーサポート体２７はメッシュ材１７で後ろに押されているので、手前に抜け出ることはない。
【００６６】
ランバーサポート体２７の摘み２７ｂは、背面視で、側片２７ｃと上下片２７ｄとを有する内向き開口コ字形になっており、側片２７ｃが連結部カバー２８の側面板２８ｂに内側から重なっている。そして、ランバーサポート体２７は、ストッパー突起６３がガイド溝穴６１に嵌まっていることによって左右移動不能に保持されているため、連結部カバー２８は内向き移動不能に保持されている。
【００６７】
以上、本願発明の実施形態を説明したが、本願発明は他にも様々に具体化できる。例えば、適用対象は回転椅子には限らず、回転式でない移動自在な椅子や、劇場用椅子のような固定式椅子にも適用できる。背支柱も、必要に応じて様々な態様に具体化できる。ロッキングしない椅子の場合は、脚部から直接に立ち上げることも可能である。左右中間部に１本の背支柱を配置して、この背支柱に本願発明の構造で背もたれを取り付けることも可能である。ランバーサポート体を備えていない椅子にも適用できる。
【００６８】
また、実施形態の背もたれは、前後開口の背枠体にメッシュ材を張ったタイプであったが、前側部材としてシェル状の背板（インナーシェル）を採用して、これにクッション材を張ったタイプとすることもできる。この場合は、背もたれの後ろ側部材は、シェル状のアウター部材になることが多い。前後に開口した背枠体を使用しつつ、メッシュ材でない背板（身体サポート）を取り付けることも可能である。
【産業上の利用可能性】
【００６９】
本願発明は、実際に椅子に具体化できる。従って、産業上利用できる。
【符号の説明】
【００７０】
２  座
３  背もたれ
８  傾動フレーム
９  傾動フレームの基部
１０  背支柱
１８  ジョイント（上ジョイント）
１９  後ろ側部材の例としての背枠体
２０  サイドフレーム
２２  体圧を支える身体サポートの一例としてのメッシュ材
２３  前側部材の一例としてのメッシュ材保持枠
２４  メッシュ材保持枠のアッパーメンバー
２７  ランバーサポート体
２８  連結部カバー
３１  リア嵌合部の一例として前向き係合突起
３１ａ  上向き突出部
３１ｂ  下向き突出部
３４  リア係合溝
３５  連結用のビス
３８  フロント嵌合部としての後ろ向き係合枠部
３９〜４１  リブ
４２  フロント係合突起
４３  ポケット部
４５  ナット
５０  ピン
【図１】
0006748429.tif 000002
【図２】
0006748429.tif 000003
【図３】
0006748429.tif 000004
【図４】
0006748429.tif 000005
【図５】
0006748429.tif 000006
【図６】
0006748429.tif 000007
【図７】
0006748429.tif 000008
【図８】
0006748429.tif 000009
【図９】
0006748429.tif 000010
【図１０】
0006748429.tif 000011
【図１１】
0006748429.tif 000012
【図１２】
0006748429.tif 000013